(57)【特許請求の範囲】
【請求項１】
樹木を保護するとともに、ビル風等の風を抑制する樹木保護装置であって、
前記樹木の幹の下方の部分を包囲するように地盤に設置される脚部と、該脚部の上部に着脱自在に取り付けられて、前記樹木の幹の上方の部分及び枝を包囲する防風部とを備えており、
前記防風部は、中心が空洞で、採光、通風可能な隙間を有する外郭からなる本体部を有し、該本体部の内側に前記樹木の幹の上方の部分及び枝の部分が収納され、
前記本体部は、弓形状のフィンを複数組み合わせることにより外形が球形状に形成されていることを特徴とする樹木保護装置。
【請求項２】
樹木を保護するとともに、ビル風等の風を抑制する樹木保護装置であって、
前記樹木の幹の下方の部分を包囲するように地盤に設置される脚部と、該脚部の上部に着脱自在に取り付けられて、前記樹木の幹の上方の部分及び枝を包囲する防風部とを備えており、
前記防風部は、中心が空洞で、採光、通風可能な隙間を有する外郭からなる本体部を有し、該本体部の内側に前記樹木の幹の上方の部分及び枝の部分が収納され、
前記本体部は、ジグザグ状に屈曲されたフィンを複数組み合わせることにより外形がクリスマスツリー形状に形成されていることを特徴とする樹木保護装置。
【請求項３】
前記本体部は、複数に分解可能若しくは展開、折り畳み可能に形成されていることを特徴とする請求項１又は２に記載の樹木保護装置。
【請求項４】
前記本体部にネットを張り付けたことを特徴とする請求項１から３の何れかに記載の樹木保護装置。
【請求項５】
前記本体部に複数の風車を取り付けたことを特徴とする請求項１から４の何れかに記載の樹木保護装置。
【請求項６】
前記本体部にツタ系の植物を垂れ下げたことを特徴とする請求項１から５の何れかに記載の樹木保護装置。
【請求項７】
前記本体部に噴射孔を有する給水パイプを内蔵し若しくは付置し、該噴射孔よりシャワー状若しくは霧状に散水することにより、前記樹木に水が供給されるように構成したことを特徴とする請求項１から６の何れかに記載の樹木保護装置。
【請求項８】
前記脚部は、前記樹木を包囲するように設置される複数本の脚と、該脚の外側に設けられる補強材とからなり、該補強材は、分解可能若しくは展開、折り畳み可能に形成されていることを特徴とする請求項１から７の何れかに記載の樹木保護装置。
【発明の詳細な説明】
【技術分野】
【０００１】
本発明は、樹木保護装置に関し、特に、ビル風等の風を抑制する防風機能を備えた樹木保護装置に関する。
【背景技術】
【０００２】
従来、オフィス街等のビルの谷間に生じるビル風は、往来する人々にストレスを与えるため、ビル風を抑制するための対策として、複数の樹木を植栽して街路樹を構築したり、防風ネットを設置したり、人工的な構造物を設置したりすることが行われている（例えば、特許文献１、２参照。）。
【特許文献１】特開平１０−２３８１６５号公報
【特許文献２】特開平４−３３６１７９号公報
【発明の開示】
【発明が解決しようとする課題】
【０００３】
しかし、樹木を植栽して街路樹を構築する場合には、植栽当初の葉が十分に茂っていない状態では十分な防風効果が得られない。また、樹木の成長にビル風がストレスとなって作用し、樹木の枯死等の原因となる。さらに、植栽当初から防風効果を高めるためには、大きな樹木を植栽しなければならないため、樹木の確保が困難になるとともに、植栽の時期によっては樹木を遠方から調達しなければならず、植栽に要する費用が嵩む。さらに、枯死のリスクが非常に高くなる。
【０００４】
さらに、防風ネットを使用する場合には、計画通りの防風効果が施工当初から得られるが、意匠的にあまり好ましくなく、樹木のような癒しや暑熱環境改善等の副次的な効果が望めない。
【０００５】
さらに、人工物を設置する場合には、意匠性に優れるものも存在するので、計画通りの防風効果が施工当初から得られるが、樹木のような癒しや暑熱環境改善等の副次的な効果を得ることができない。
【０００６】
本発明は、上記のような従来の問題に鑑みなされたものであって、植栽に要するコストを低減させることができるとともに、植栽当初から高い防風効果が得られ、さらに、植栽した樹木がビル風による影響によって枯死等することがなく、植栽した樹木が大きく成長するまで確実に保護することができ、さらに、意匠性を高めることができる樹木保護装置を提供することを目的とする。
【課題を解決するための手段】
【０００７】
上記のような課題を解決するために、本発明は、以下のような手段を採用している。
すなわち、請求項１に係る発明は、樹木を保護するとともに、ビル風等の風を抑制する樹木保護装置であって、前記樹木の幹の下方の部分を包囲するように地盤に設置される脚部と、該脚部の上部に着脱自在に取り付けられて、前記樹木の幹の上方の部分及び枝を包囲する防風部とを備えており、
前記防風部は、中心が空洞で、採光、通風可能な隙間を有する外郭からなる本体部を有し、該本体部の内側に前記樹木の幹の上方の部分及び枝の部分が収納され、
前記本体部は、弓形状のフィンを複数組み合わせることにより外形が球形状に形成されていることを特徴とする。
【０００８】
本発明による樹木保護装置によれば、脚部によって樹木の幹の下方の部分が包囲され、防風部によって幹の上方の部分及び枝の部分が包囲されることになるので、植栽直後から大きく成長するまで樹木を保護することができるとともに、防風部によってビル風等の風を抑制することができるので、ビル風等の風が直接に樹木に作用して、樹木の成長が妨げられるようなこともない。また、防風部は、脚部に着脱自在に取り付けられているので、樹木が大きく成長して防風部の内側に収まりきれなくなった場合には、防風部を脚部から取り外すことにより、樹木の更なる成長を促進することができる。
また、防風部に設けられ、弓形状のフィンを複数組み合わせることにより外形が球形状に形成された本体部によってビル風等の風が抑制されることになる。
【０００９】
また、請求項２に係る発明は、樹木を保護するとともに、ビル風等の風を抑制する樹木保護装置であって、
前記樹木の幹の下方の部分を包囲するように地盤に設置される脚部と、該脚部の上部に着脱自在に取り付けられて、前記樹木の幹の上方の部分及び枝を包囲する防風部とを備えており、
前記防風部は、中心が空洞で、採光、通風可能な隙間を有する外郭からなる本体部を有し、該本体部の内側に前記樹木の幹の上方の部分及び枝の部分が収納され、
前記本体部は、ジグザグ状に屈曲されたフィンを複数組み合わせることにより外形がクリスマスツリー形状に形成されていることを特徴とする。
【００１０】
本発明による樹木保護装置によれば、脚部によって樹木の幹の下方の部分が包囲され、防風部によって幹の上方の部分及び枝の部分が包囲されることになるので、植栽直後から大きく成長するまで樹木を保護することができるとともに、防風部によってビル風等の風を抑制することができるので、ビル風等の風が直接に樹木に作用して、樹木の成長が妨げられるようなこともない。また、防風部は、脚部に着脱自在に取り付けられているので、樹木が大きく成長して防風部の内側に収まりきれなくなった場合には、防風部を脚部から取り外すことにより、樹木の更なる成長を促進することができる。
また、防風部に設けられ、ジグザグ状に屈曲されたフィンを複数組み合わせることにより外形がクリスマスツリー形状に形成された本体部によってビル風等の風が抑制されることになる。
【００１１】
請求項３に係る発明は、請求項１又は２に記載の樹木保護装置であって、前記本体部は、複数に分解可能若しくは展開、折り畳み可能に形成されていることを特徴とする。
【００１２】
本発明による樹木保護装置によれば、防風部を脚部から取り外す際に、本体部を複数に分解したり、展開したり、折り畳んだりすることができるので、防風部の内側で大きく成長した樹木を傷付けるのを防止できる。
【００１５】
請求項４に係る発明は、請求項１から３の何れかに記載の樹木保護装置であって、前記本体部にネットを張り付けたことを特徴とする。
【００１６】
本発明による樹木保護装置によれば、防風部の本体部に張り付けたネットにより防風部の防風効果を高めることができる。
【００１７】
請求項５に係る発明は、請求項１から４の何れかに記載の樹木保護装置であって、前記本体部に複数の風車を取り付けたことを特徴とする。
【００１８】
本発明による樹木保護装置によれば、防風部の本体部の複数の風車により防風部の防風効果を高めることができる。
【００１９】
請求項６に係る発明は、請求項１から５の何れかに記載の樹木保護装置であって、前記本体部にツタ系の植物を垂れ下げたことを特徴とする。
【００２０】
本発明による樹木保護装置によれば、防風部の本体部に垂れ下げたツタ系の植物によって、防風効果を高めることができるとともに、緑陰を得ることもできる。
【００２１】
請求項７に係る発明は、請求項１から６の何れかに記載の樹木保護装置であって、前記本体部に噴射孔を有する給水パイプを内蔵し若しくは付置し、該噴射孔よりシャワー状若しくは霧状に散水することにより、前記樹木に水が供給されるように構成したことを特徴とする。
【００２２】
本発明による樹木保護装置によれば、本体部に内蔵若しくは付置した給水パイプの噴射孔よりシャワー状若しくは霧状に散水することにより、樹木に水を供給することができるとともに、蒸散により樹木周辺の暑熱環境が改善される。
【００２３】
請求項８に係る発明は、請求項１から７の何れかに記載の樹木保護装置であって、前記脚部は、前記樹木を包囲するように設置される複数本の脚と、該脚の外側に設けられる補強材とからなり、該補強材は、分解可能若しくは展開、折り畳み可能に形成されていることを特徴とする。
【００２４】
本発明による樹木保護装置によれば、補強材によって脚部の複数本の脚を補強することができるとともに、補強材は分解可能若しくは展開、折り畳み可能となっているので、補強材の脚への取り付け、取り外しが容易となる。
【発明の効果】
【００２５】
以上、説明したように、本発明の樹木保護装置によれば、植栽した樹木の幹の下方の部分を脚部で包囲し、幹の上方の部分及び枝の部分を防風部で包囲することができるので、植栽した植物を植栽直後から大きく成長するまで保護することができる。
また、防風部によってビル風等の風を抑制することができるので、植栽直後の樹木がビル風等の風の影響を受けて枯死するようなことはなく、樹木が大きく成長するまで確実に保護することができる。
さらに、防風部を脚部に対して着脱自在に構成しているので、樹木が大きく成長して防風部の内側に収納しきれなくなった場合には、防風部を脚部から取り外すことにより、樹木の更なる成長を許容することができる。
さらに、大きく成長した樹木を植栽する必要がないので、植栽に要する費用を大幅に削減することができる。
さらに、防風部の本体部にネットを貼り付けたり、本体部をネット状部材によって構成したり、本体部に複数の風車を取り付けたり、本体部を風車によって構成したり、本体部にツタ系の植物を垂れ下げたりすることにより、防風部による防風効果を高めることができる。
さらに、本体部に給水パイプを内蔵したり、本体部に給水パイプを付置したりすることにより、樹木に水を供給することができるとともに、散水することで蒸散により樹木の周辺の暑熱環境が改善される。
さらに、脚部の脚の外側に補強材を設けることにより、脚を補強することができるとともに、脚を分解若しくは展開、折り畳み可能に構成することにより、補強材の脚への取り付け、取り外しが容易となる。
【発明を実施するための最良の形態】
【００２６】
以下、図面に示す本発明の実施の形態について説明する。
図１〜図６には、本発明による樹木保護装置の一実施の形態が示されていて、図１は植栽直後の樹木の保護状態を示す説明図、図２は大きく成長した状態での樹木の保護状態を示す説明図、図３は樹木保護装置の全体を示す概略図、図４は樹木保護装置を分解した状態を示す概略図、図５は樹木保護装置の脚部と防風部との接合部分の模式図、図６は防風部を取り外した状態を示す説明図である。
【００２７】
すなわち、本実施の形態に示す樹木保護装置１は、図１に示すように、植栽された樹木２１の幹２２の下方の部分を包囲するように設置される脚部２と、脚部２の上部に着脱自在に取り付けられるとともに、樹木２１の幹２２の上方の部分及び枝２３の部分を包囲する防風部１０とを備えている。
【００２８】
脚部２は、樹木２１の幹２２の周囲の地盤２５に幹２２を包囲するように所定の間隔ごとに垂直に立設される複数本（本実施の形態においては４本）の棒状の脚３と、この複数本の脚３の外側に溶接、ボルト等の接合手段により一体に取り付けられる環状の下補強材４と、複数本の脚３の上端部に着脱自在に取り付けられる環状の台座６とから構成され、台座６の上部に後述する防風部１０が着脱自在に取り付けられている。なお、下補強材４は、複数に分解可能若しくは展開、折り畳み可能に構成してもよい。下補強材４を脚３に取り付けることにより、下補強材４をベンチとして機能させることができる。
【００２９】
台座６は、周方向に少なくとも２つに分割されており、分割体同士を互いに連結することにより全体が環状に形成される。台座６の下面側には、図５に模式的に示すように、筒状の被嵌合部８が周方向に向かって所定の間隔ごとに下方に突出した状態で一体に設けられ、各被嵌合部８内に各脚３の上端部を嵌合させて、両者間をボルト等の連結手段１５により連結することにより、複数本の脚３の上端部に台座６が取り付けられる。
【００３０】
防風部１０は、中心が空洞で、採光、通風可能な隙間を有する外郭からなる本体部１１と、この本体部１１の下端中央部に設けられる環状の取付け部１４とを有し、この防風部１０の本体部１１によってビル風等の風から樹木が保護されるとともに、樹木の成長に必要な適量の光、風を供給することができる。
【００３１】
本体部１１は、例えば、複数の弓形状のフィン１２を複数組み合わせることにより外形が球形状に形成され、この本体部１１の下端中央部に環状の取付け部１４が一体に設けられ、この取付け部１４を介して本体部１１が脚部２の台座６の上部に着脱自在に取り付けられる。
【００３２】
防風部１０の本体部１１及び取付け部１４は、図４に示すように、周方向に複数（本実施の形態においては４つ）に分割され、この複数に分割された分割体を組み合わせてボルト等（図示せず）により連結することにより、球形状の防風部１０の本体部１１及び環状の取付け部１４が構成される。また、その逆の手順を辿ることにより、防風部１０の本体部１１及び取付け部１４を分解することができる。
【００３３】
防風部１０は、図５に示すように、取付け部１４を脚部２の台座６の上部に位置し、この状態で取付け部１４と台座６との間の複数箇所をボルト等の連結手段１５により連結することにより、脚部２の上部に着脱自在に取り付けられ、防風部１０の本体部１１がビル風等の風に対して防風機能を発揮することになる。
【００３４】
防風部１０の本体部１１及び取付け部１４を複数に分割することにより、図２に示すように、樹木２１が大きく成長して防風部１０の内側に収納しきれなくなり、防風部１０を取り外す必要が生じた場合に、樹木２１に傷を付けることなく、防風部１０の本体部１１及び取付け部１４を脚部２から取り外すことができる。樹木２１が大きく成長することにより、防風部１０に頼ることなく、樹木２１の枝２３、葉等によって十分な防風効果が得られることになる。
【００３５】
防風部１０を脚部２から取り外した後は、図２及び図６に示すように、脚部２の複数本の脚３の上端部に環状の上補強材５を取り付けることにより、各脚３の上端が露出するのを防止して安全性を確保することができるとともに、４本の脚３を下補強材４と上補強材５との協働によって補強することができる。
【００３６】
脚部２の脚３、両補強材４、５及び台座６、防風部１０の本体部１１及び取付け部１４は、ステンレス等の金属製の棒材又はパイプ材、板材等を材料として、必要に応じて曲げ加工等を施すことにより所定の形状に形成される。また、これらの部品は、必要に応じて表面が鏡面に仕上げられ、又は表面に各種の塗装が施される。これらの部品の表面を鏡面に仕上げた場合には、ミラー効果によって樹木２１の緑量を増幅させることができる。
【００３７】
防風部１０の本体部１１の複数のフィン１２をパイプ材によって構成した場合には、図１に示すように、何れかをフィン１２を構成するパイプ材の複数箇所に内外を貫通する噴射孔１３を設け、このパイプ材を給水パイプとして使用することにより、複数の噴射孔１３を介して樹木２１に水をシャワー状若しくは霧状にして散水することができ、樹木に水を供給することができるとともに、蒸散により樹木周辺の暑熱環境が改善される。
【００３８】
上記のように構成した本実施の形態による樹木保護装置１にあっては、樹木２１の植栽直後の状態（未だ葉が十分に茂っていない状態）であっても、樹木２１の代わりに球形状の防風部１０によって防風機能を発揮することができるので、ビル風等の風を十分に抑制することができ、往来する人々がビル風等の風によって受けるストレスを軽減することができる。また、十分に成長しきっていない樹木２１に作用するビル風等の風力を軽減することができるので、植栽直後の樹木２１がビル風等の風の影響を受けて倒れたり、枯死したりするのを防止でき、樹木２１が大きく成長するまで確実に保護することができる。
【００３９】
さらに、脚部２によって樹木２１の周囲を囲んでいるので、樹木２１の周囲の土が往来する人々によって踏み固められるのを防止でき、土が踏み固められて樹木２１の成長が阻害されるのを防止できる。
【００４０】
さらに、大木を植栽する必要はなく、安価な幼木を植栽することができるので、植栽のコストを低減させることができる。
【００４１】
さらに、樹木２１の剪定等のメンテナンスを行う際に、脚部２及び防風部１０を足場として使用することができるので、剪定等のメンテナンスのために足場を組む必要がなく、メンテナンスを容易にかつ安価に行うことができる。
【００４２】
さらに、樹木２１が大きく成長して、枝２２の部分等が防風部１０の内側に収納しきれなくなった場合には、図２に示すように、防風部１０の本体部１１及び取付け部１４を分解して脚部２から取り外することにより、樹木２１の更なる成長を妨げるようなことはない。また、防風部１０を取り外す際に、本体部１１及び取付け部１４を分解することができるので、樹木２１に傷を付けるようなことはない。
【００４３】
図７及び図８には、第１の実施の形態の樹木保護装置１の変形例が示されていて、この樹木保護装置１は、脚部２の台座６の上部にレール（図示せず）を設け、このレールに防風部１０の本体部１１の各フィン１２の下端部を移動可能に取り付け、各フィン１２をレールに沿って移動させることにより、本体部１１の複数のフィン１２を上端部を中心として展開、折り畳み可能としたものであって、その他の構成は図１に示すものと同様である。
【００４４】
そして、この変形例による樹木保護装置１にあっても、図１に示すものと同様の作用効果を奏する他に、防風部１０の本体部１１を展開、折り畳み可能に構成しているので、防風部１０の着脱を容易に行うことができるとともに、樹木２０の剪定等のメンテナンスの際に防風部１０の内部を容易に開放することができるので、メンテナンスを容易にすることができる。
【００４５】
図９には、本発明による樹木保護装置の第２の実施の形態が示されていて、この樹木保護装置１は、防風部１０の本体部１１の各フィン１２をジグザグ状に屈曲させて、このような形状の複数のフィン１２を組み合わせることにより、本体部１１の外形をクリスマスツリー形状に形成したものであって、その他の構成は前記第１の実施の形態に示すものと同様である。
【００４６】
そして、本実施の形態に示す樹木保護装置１にあっても、前記第１の実施の形態に示すものと同様の作用効果を奏する他に、防風部１０の本体部１１をクリスマスツリー形状に形成しているので、意匠性を高めることができる。
【００４７】
図１０には、本発明による樹木保護装置の第３の実施の形態が示されていて、この樹木保護装置１は、防風部１０の本体部１１にネット１６を張り付けたものであって、その他の構成は前記第１の実施の形態に示すものと同様である。なお、図示はしないが、本体部１１をネット状部材によって構成するようにしてもよい。
【００４８】
そして、本実施の形態に示す樹木保護装置１にあっても、前記第１の実施の形態に示すものと同様の作用効果を奏する他に、防風部１０の本体部１１に張り付けたネット１６によって更に防風効果を高めることができる。
【００４９】
図１１には、本発明による樹木保護装置の第４の実施の形態が示されていて、この樹木保護装置１は、防風部１０の本体部１１の各フィン１２にそれぞれ複数の風車１７を取り付けたものであって、その他の構成は前記第１の実施の形態に示すものと同様である。なお、図示はしないが、本体部１１を風車によって構成するようにしてもよい。
【００５０】
そして、本実施の形態に示す樹木保護装置１にあっても、前記第１の実施の形態に示すものと同様の作用効果を奏する他に、防風部１０の本体部１１の各フィン１２に取り付けた風車１７によって更に防風効果を高めることができるとともに、意匠性を高めることができる。
【００５１】
図１２には、本発明による樹木保護装置の第５の実施の形態が示されていて、この樹木保護装置１は、防風部１０の本体部１１の上端部から各フィン１２に沿ってそれぞれツタ系の植物１８を垂れ下げたものであって、その他の構成は前記第１の実施の形態に示すものと同様である。
【００５２】
そして、本実施の形態に示す樹木保護装置１にあっても、前記第１の実施の形態に示すものと同様の作用効果を奏する他に、ツタ系の植物１８によって防風効果を更に高めることができるとともに、緑陰を設けることができるので夏季の晴天時等に人々に憩いの場を提供することができる。
【００５３】
図１３には、本発明による樹木保護装置の第６の実施の形態が示されていて、この樹木保護装置１は、防風部１０の本体部１１に各種の広告板１９を取り付けるように構成したものであって、その他の構成は前記第１の実施の形態に示すものと同様である。
【００５４】
そして、本実施の形態に示す樹木保護装置１にあっても、前記第１の実施の形態に示すものと同様の作用効果を奏する他に、防風部１０の本体部１１を広告板１９を取り付けるための広告塔として機能させることができる。
【００５５】
図１４には、本発明による樹木保護装置の第７の実施の形態が示されていて、この樹木保護装置１は、防風部１０の本体部１１に電飾２０を施したものであって、その他の構成は前記第１の実施の形態に示すものと同様である。
【００５６】
そして、本実施の形態に示す樹木保護装置１にあっても、前記第１の実施の形態に示すものと同様の効果を奏する他に、防風部１０の本体部１１に電飾２０を施しているので、夜間の意匠性を高めることができるとともに、防犯性を高めることもできる。
【００５７】
図１５には、本発明による樹木保護装置の第８の実施の形態が示されていて、この樹木保護装置１は、防風部１０の本体部１１に上下方向に所定の間隔ごとにリング１１ａを一体に取り付け、本体部１１をジャングルジムとして機能させたものであって、その他の構成は前記第１の実施の形態に示すものと同様である。
【００５８】
そして、本実施の形態に示す樹木保護装置１にあっても、前記第１の実施の形態に示すものと同様の効果を奏する他に、防風部１０の本体部１１をジャングルジムとして機能させているので、公園等の樹木の保護として使用することにより、子供等に遊び場を提供することができる。
【００５９】
なお、前述した第１〜第８の実施の形態に示す樹木保護装置１の構成をそれぞれ単独で使用してもよいし、任意のものを組み合わせて構成してもよい。
【図面の簡単な説明】
【００６０】
【図１】本発明による樹木保護装置の第１の実施の形態の全体を示した概略図であって、植栽直後の樹木の保護状態を示した説明図である。
【図２】図１の樹木保護装置による樹木が大きく成長した状態での保護状態を示した説明図である。
【図３】第１の実施の形態の樹木保護装置の組立て後の状態を示した説明図である。
【図４】図３の樹木保護装置の分解後の状態を示した説明図である。
【図５】図３の樹木保護装置の防風部と脚部との接合部分を示した模式図である。
【図６】図３の樹木保護装置の脚部のみによる使用状態を示した説明図である。
【図７】第１の実施の形態の樹木保護装置の変形例を示した説明図であって、組立て後の状態を示した説明図である。
【図８】図７の樹木保護装置の分解後の状態を示した説明図である。
【図９】本発明による樹木保護装置の第２の実施の形態の全体を示した概略図である。
【図１０】本発明による樹木保護装置の第３の実施の形態の全体を示した概略図である。
【図１１】本発明による樹木保護装置の第４の実施の形態の全体を示した概略図である。
【図１２】本発明による樹木保護装置の第５の実施の形態の全体を示した概略図である。
【図１３】本発明による樹木保護装置の第６の実施の形態の全体を示した概略図である。
【図１４】本発明による樹木保護装置の第７の実施の形態の全体を示した概略図である。
【図１５】本発明による樹木保護装置の第８の実施の形態の全体を示した概略図である。
【符号の説明】
【００６１】
１  樹木保護装置                      ２  脚部
３  脚                                ４  下補強材
５  上補強材                          ６  台座
８  被嵌合部                          １０  防風部
１１  本体部                          １１ａ  リング
１２  フィン                          １３  噴射孔
１４  取付け部                        １５  連結手段
１６  ネット                          １７  風車
１８  ツタ系の植物                    １９  広告板
２０  電飾                            ２１  樹木
２２  幹                              ２３  枝
２５  地盤
【図５】
0005124970.tif 000002
【図１】
0005124970.tif 000003
【図２】
0005124970.tif 000004
【図３】
0005124970.tif 000005
【図４】
0005124970.tif 000006
【図６】
0005124970.tif 000007
【図７】
0005124970.tif 000008
【図８】
0005124970.tif 000009
【図９】
0005124970.tif 000010
【図１０】
0005124970.tif 000011
【図１１】
0005124970.tif 000012
【図１２】
0005124970.tif 000013
【図１３】
0005124970.tif 000014
【図１４】
0005124970.tif 000015
【図１５】
0005124970.tif 000016